(57)【特許請求の範囲】
【請求項１】
人体の局部を洗浄する温水洗浄便座装置であって、
便鉢部を有する腰掛式便器に取り付けられた本体部と、
前記本体部に収納された脱臭機能部と、を備え、
前記脱臭機能部は、オゾンを生成する脱臭剤生成部を備え、
前記脱臭剤生成部は、放電により空気中に前記オゾンを生成する放電部と、前記放電部に電力を供給する電力供給部と、を備え、
前記脱臭機能部は、前記放電部により空気中に生成された前記オゾンを含む気体を前記便鉢部内に向けて渦輪状に放出する、温水洗浄便座装置。
【請求項２】
前記脱臭機能部は、
前記放電部を収容し、前記脱臭剤生成部によって生成された前記オゾンが供給され、内側に前記気体を蓄積する蓄積部と、
前記蓄積部内の前記気体を加圧する加圧部と、
前記蓄積部の側壁に形成されるとともに、前記加圧部によって前記気体が加圧されたとき、前記気体を前記蓄積部から放出する開口部と、
をさらに備える、請求項１に記載の温水洗浄便座装置。
【発明の詳細な説明】
【技術分野】
【０００１】
本発明は、温水洗浄便座装置に関する。
【背景技術】
【０００２】
温水洗浄便座装置の一形態として、特許文献１に示されているものが知られている。特許文献１の温水洗浄便座装置は、便器上の後部に設けられ、汚物の臭いが吸引される吸込み口９および清浄化された空気が排気される吹出し口１０を有する本体ケース２、吸込み口９と吹出し口１０とを連結するダクトである風洞１１、風洞１１に設けられて空気とともに通過する臭いを清浄化する脱臭剤３、風洞１１に設けられて空気とともに臭いの吸込みおよび排気を行うファンである送風機４を備えている。
【先行技術文献】
【特許文献】
【０００３】
【特許文献１】特開２００３−２１３７６２号公報
【発明の概要】
【発明が解決しようとする課題】
【０００４】
上述した特許文献１の温水洗浄便座装置は、本体ケース２が便器の後部に設けられているため、便鉢部内の前側に比べて便鉢部内の後側の空気および臭いが効率的に吸込み口から吸込まれる。この場合、便鉢部内の前側の臭気が除去できないために、便鉢部内の臭気の除去のばらつきが生じることが考えられる。
【０００５】
本発明は、上述した問題を解消するためになされたもので、温水洗浄便座装置の脱臭機能部において、便鉢部内の臭気の除去のばらつきを抑制することを目的とする。
【課題を解決するための手段】
【０００６】
上記の課題を解決するため、請求項１に係る温水洗浄便座装置は、人体の局部を洗浄する温水洗浄便座装置であって、便鉢部を有する腰掛式便器に取り付けられた本体部と、本体部に収納された脱臭機能部と、を備え、脱臭機能部は、オゾンを生成する脱臭剤生成部を備え、脱臭剤生成部は、放電により空気中にオゾンを生成する放電部と、放電部に電力を供給する電力供給部と、を備え、脱臭機能部は、放電部により空気中に生成されたオゾンを含む気体を便鉢部内に向けて渦輪状に放出する。
【発明の効果】
【０００７】
これによれば、脱臭機能部が脱臭剤を含む気体を渦輪状に放出する。渦輪状の気体は、直進性が比較的高く、かつ、渦輪の形状を保持したまま進行する。よって、脱臭剤を含む渦輪状の気体を便鉢部内のねらいの位置に比較的高い指向性にて到達させることができる。したがって、便鉢部内の臭気の除去のばらつきを抑制することができる。
【図面の簡単な説明】
【０００８】
【図１】本発明による第一実施形態に係る温水洗浄便座装置を示す側面図である。
【図２】図１に示す温水洗浄便座装置の上面図である。
【図３】図１に示す温水洗浄便座装置の模式図である。
【図４】図２に示すIV−IV線に沿った本体部の断面図であり、主として脱臭機能部を表している。
【図５】図４に示す脱臭剤生成部の模式図である。
【図６】図４に示す脱臭機能部の側面図である。
【図７】図４に示す脱臭機能部の動作を示すタイムチャートである。
【図８】本発明による第二実施形態に係る温水洗浄便座装置の部分模式図である。
【図９】本発明による第二実施形態に係る本体部の断面図であり、主として脱臭機能部を表している。
【発明を実施するための形態】
【０００９】
＜第一実施形態＞
以下、本発明による温水洗浄便座装置の第一実施形態について説明する。本明細書においては説明の便宜上、図１における上側および下側をそれぞれ温水洗浄便座装置１の上方および下方とし、同じく左側および右側をそれぞれ温水洗浄便座装置１の前方および後方とし、同じく紙面手前側および紙面奥側を、それぞれ温水洗浄便座装置１の左方および右方として説明する。
【００１０】
温水洗浄便座装置１は、人体の局部を洗浄するものである。温水洗浄便座装置１は、図１に示すように、本体部１０が腰掛式便器２の便座設置面２ａに取り付けられている。腰掛式便器２は、家屋のトイレルーム（図示なし）内に設置されている。腰掛式便器２は、便鉢部２ｂを有している。
【００１１】
温水洗浄便座装置１は、本体部１０、便座２０、便座２０を覆う便蓋３０を備えている。本体部１０は、図１乃至図４に示すように、本体ケーシング１０ａ、洗浄機能部４０、脱臭機能部５０、着座センサ６０、および、温水洗浄便座装置１を統括制御する制御装置７０を備えている。
【００１２】
本体ケーシング１０ａは、中空の箱状に形成されている。本体ケーシング１０ａは、底面の前側の一部を、便鉢部２ｂ内に対向させるように、腰掛式便器２に取り付けられている（図１及び図４参照）。
【００１３】
本体ケーシング１０ａは、便座２０および便蓋３０を回動可能に保持する。本体ケーシング１０ａ（本体部１０）は、洗浄機能部４０、脱臭機能部５０、着座センサ６０および制御装置７０を収納する。本第一実施形態においては、図２に示すように、洗浄機能部４０のノズル装置４３が本体ケーシング１０ａ内の左右方向における中央部に、脱臭機能部５０が本体ケーシング１０ａ内の左前側にそれぞれ配置されている。
【００１４】
本体ケーシング１０ａは、図１および図４に示すように、第一ケーシング１０ｂおよび第二ケーシング１０ｃを備えている。第一ケーシング１０ｂは、本体ケーシング１０ａの底部を形成する。第一ケーシング１０ｂは、底壁に本体ケーシング１０ａ内と便鉢部２ｂ内とを連通するように、便鉢部２ｂ内に向けて開口する連通口１０ｂ１が形成されている。第二ケーシング１０ｃは、本体部１０の上方を覆うとともに、底部を開放する箱状に形成されている。
【００１５】
洗浄機能部４０は、人体の局部の洗浄を行うものである。洗浄機能部４０は、図３に示すように、給水装置４１、温水タンク４２およびノズル装置４３を備えている。
給水装置４１は、水道配管３（本発明の給水源に相当）からの洗浄水を、第一接続水路Ｌ１を介して温水タンク４２に供給するものである。給水装置４１は、水道配管３に取り付けられた分岐水栓３ａに、洗浄水が流れる給水ホースＨを介して接続されている。分岐水栓３ａは、水道配管３に流れる水（上水）を洗浄水として給水ホースＨに導出する。第一接続水路Ｌ１は、給水装置４１と温水タンク４２とを接続して洗浄水を流通させる流路である。
【００１６】
給水装置４１は、開状態である場合に洗浄水の流れを許容し、閉状態である場合に洗浄水の流れを規制する電磁弁である。給水装置４１は、通電されている場合に開状態となり、非通電である場合に閉状態となるノーマルクローズ型の電磁弁である。
【００１７】
温水タンク４２は、給水装置４１からの洗浄水を貯留し、かつ、加熱するものである。温水タンク４２は、タンク部４２ａ、加熱ヒータ４２ｂおよび温度センサ４２ｃを備えている。
【００１８】
タンク部４２ａは、給水装置４１からの洗浄水を内部に導入し、かつ、貯留するものである。タンク部４２ａは、中空の箱状に形成されている。加熱ヒータ４２ｂは、タンク部４２ａに貯留された洗浄水を、制御装置７０から送信される制御信号にしたがって所定温度（例えば３９℃）に加熱するものである。加熱ヒータ４２ｂは、シーズヒータである。
【００１９】
温度センサ４２ｃは、タンク部４２ａに貯留された洗浄水の温度を検出するものである。温度センサ４２ｃは、検出結果を制御装置７０に送信する。温水タンク４２は、タンク部４２ａに貯留された洗浄水（温水）を第二接続水路Ｌ２に導出する。第二接続水路Ｌ２は、温水タンク４２とノズル装置４３とを接続して洗浄水を流通させる流路である。
【００２０】
ノズル装置４３は、第二接続水路Ｌ２からの洗浄水を人体の局部に向けて噴出することにより、人体の局部を洗浄するものである。ノズル装置４３は、切替バルブ４３ａ、おしり洗浄を行う洗浄水を噴出するおしりノズル４３ｂ、および、ビデ洗浄を行う洗浄水を噴出するビデノズル４３ｃを備えている。また、ノズル装置４３は、切替バルブ４３ａとおしりノズル４３ｂとを接続して洗浄水を流通させる第三接続水路Ｌ３、および、切替バルブ４３ａとビデノズル４３ｃとを接続して洗浄水を流通させる第四接続水路Ｌ４を備えている。
【００２１】
切替バルブ４３ａは、第二接続水路Ｌ２からの洗浄水を、制御装置７０からの制御信号にしたがって第三接続水路Ｌ３および第四接続水路Ｌ４の一方に選択して導出するものである。
【００２２】
脱臭機能部５０は、本体部１０に収納され、脱臭剤を含む気体を便鉢部２ｂ内に向けて渦輪状に放出するものである。本第一実施形態において、脱臭剤は、オゾンである。脱臭機能部５０は、図４に示すように、脱臭剤生成部５１、蓄積部５２、加圧部５３、開口部５４および駆動部５５（図６参照）を備えている。
【００２３】
脱臭剤生成部５１は、脱臭剤を生成するものである。本第一実施形態において、脱臭剤生成部５１は、沿面放電式のオゾン発生装置である。脱臭剤生成部５１は、図５に示すように、放電部５１ａおよび電力供給部５１ｂを備えている。
【００２４】
放電部５１ａは、蓄積部５２に収容されている。放電部５１ａは、誘電体基盤５１ａ１、誘電電極５１ａ２、複数（本第一実施形態においては三つ）の放電電極５１ａ３を備えている。
【００２５】
誘電体基盤５１ａ１は、平板状の誘電体である。誘電体基盤５１ａ１は、例えばアルミナ等のセラミックスにて形成されている。誘電電極５１ａ２は、平板状に形成された電極である。誘電電極５１ａ２の一方面（図２の上側の面）が、誘電体基盤５１ａ１の一方面（図２の下側の面）に接触している。放電電極５１ａ３は、線状に形成された電極である。放電電極５１ａ３は、誘電体基盤５１ａ１の他方面（図２の上側の面）に接触し、かつ、紙面奥側から紙面手前側に向かって延びるように配置されている。
【００２６】
電力供給部５１ｂは、誘電電極５１ａ２と放電電極５１ａ３との間に比較的高い交流電圧をかける電源回路である。電力供給部５１ｂは、誘電電極５１ａ２に電線５１ｃを介して電気的に接続されている。電力供給部５１ｂは、放電電極５１ａ３に電線５１ｄを介して電気的に接続されている。電力供給部５１ｂは、制御装置７０に配置されている。電力供給部５１ｂによって誘電電極５１ａ２と放電電極５１ａ３との間に電圧がかけられた場合、放電電極５１ａ３と誘電体基盤５１ａ１との間で放電が行われる。この放電によってオゾンが生成される。
【００２７】
蓄積部５２は、脱臭剤生成部５１によって生成された脱臭剤が供給され、内側に気体を蓄積するものである。蓄積部５２は、図４に示すように、中空の直方体状に形成されている。蓄積部５２は、長手方向を前方から後方に向かうにしたがって下方から上方に傾斜させるように配置されている。蓄積部５２は、連通口１０ｂ１と対向する第一側壁５２ａ（本発明の側壁に相当）および第一側壁５２ａと長手方向における反対側の側壁である第二側壁５２ｂを有する。第一側壁５２ａには、開口部５４が形成されている。すなわち、開口部５４は、連通口１０ｂ１に対向している。
【００２８】
蓄積部５２内には、空気が在る。また、蓄積部５２内に放電部５１ａが収納されているため、脱臭剤生成部５１が脱臭剤を生成した場合、蓄積部５２内に脱臭剤が供給される。よって、この場合、蓄積部５２内には、脱臭剤を含む気体（空気）が蓄積される。
【００２９】
加圧部５３は、蓄積部５２内の気体を加圧するものである（詳細は後述する）。加圧部５３は、蓄積部５２の第二側壁５２ｂに配置されている。加圧部５３はソレノイドアクチュエータである。加圧部５３は、シリンダ５３ａ、ピストン５３ｂ、スプリング５３ｃおよびコイル部５３ｄを備えている。
【００３０】
シリンダ５３ａは、蓄積部５２の第二側壁５２ｂに配置されるとともに、蓄積部５２の長手方向に沿って延びる筒状に形成されている。また、シリンダ５３ａの一端は、蓄積部５２内に開口部５４に向けて開口する。ピストン５３ｂは、円柱状に形成され、シリンダ５３ａ内に原位置Ｐ０と移動位置Ｐｍ（図４の破線参照）との間を往復運動可能に配置された可動鉄心である。スプリング５３ｃは、シリンダ５３ａ内に配置され、ピストン５３ｂを蓄積部５２に向かう方向と反対方向に付勢するものである。
【００３１】
コイル部５３ｄは、シリンダ５３ａの外側に、かつ、原位置Ｐ０に位置するピストン５３ｂの蓄積部５２側の一端部が内側に埋設するように配置されている。コイル部５３ｄが通電された場合、ピストン５３ｂが原位置Ｐ０からスプリング５３ｃの付勢力に抗して蓄積部５２に向けて移動して移動位置Ｐｍに位置する。この状態においてコイル部５３ｄが非通電となった場合、ピストン５３ｂがスプリング５３ｃの付勢力によって移動位置Ｐｍから原位置Ｐ０に戻る。
【００３２】
開口部５４は、上述したように、蓄積部５２の第一側壁５２ａに形成されている。開口部５４は、加圧部５３によって気体が加圧されたとき、気体を蓄積部５２から放出するものである（詳細は後述する）。開口部５４は、第一側壁５２ａに円状に開口するように形成されている。
【００３３】
駆動部５５は、蓄積部５２を駆動するものである。駆動部５５は、図６に示すように、ラック部５５ａ、ピニオンギヤ５５ｂおよびモータ５５ｃを備えている。駆動部５５は、具体的には、蓄積部５２を、ピニオンギヤ５５ｂの回転軸を中心として上下方向に回動させる。
【００３４】
ラック部５５ａは、平板に歯を付けたものである。ラック部５５ａは、側面視円弧状に形成されている。ラック部５５ａは、蓄積部５２の右側面（または左側面）に固定されている。ピニオンギヤ５５ｂは、ラック部５５ａの歯と互いに噛み合うとともに、回転駆動することによりラック部５５ａを上下方向に駆動させる歯車である。
【００３５】
モータ５５ｃは、制御装置７０からの制御指令により、ピニオンギヤ５５ｂを回転駆動させるものである。モータ５５ｃは、例えば、ステッピングモータである。また、脱臭機能部５０は、支持部５６を介して第一ケーシング１０ｂの底壁に固定されている（図４参照）。支持部５６は、蓄積部５２を上下方向に回動可能に支持するとともに、モータ５５ｃを固定して支持するものである。
【００３６】
ピニオンギヤ５５ｂが第一方向Ｗ１に回転駆動した場合、ラック部５５ａひいては蓄積部５２が上方向に回動する。一方、ピニオンギヤ５５ｂが第一方向Ｗ１と反対方向の第二方向Ｗ２に駆動することにより、蓄積部５２が下方向に回動する。
【００３７】
蓄積部５２の回動する回動範囲は、開口部５４から放出される気体が便鉢部２ｂ内の前端部から後端部までの範囲に亘って放出されるよう設定されている。蓄積部５２の回動範囲は、予め実験等により実測されて設定されている。蓄積部５２が回動範囲の下限に位置する場合、蓄積部５２と支持部５６に設けられた凸状の接触部５６ａ（図４参照）とが接触することにより、蓄積部５２の下方への回動が規制される。また、この場合、開口部５４が便鉢部２ｂの前後方向のおよそ後端部に向けて開口する。
【００３８】
着座センサ６０は、本体部１０内の上側に収納されている（図１参照）。着座センサ６０は、便座２０に着座した使用者を検知するセンサである。着座センサ６０は、対象物との距離を検出する赤外線方式の距離センサである。
【００３９】
使用者が便座２０に着座した場合、使用者と着座センサ６０との距離が比較的短くなる。これにより、着座センサ６０の検出結果が所定距離以下であるとき、着座センサ６０は、オン信号を制御装置７０に送信する。一方、使用者が便座２０を離れたことにより、着座センサ６０の検出結果が所定距離より長いとき、着座センサ６０は、オフ信号を制御装置７０に送信する。所定距離は、実験等により実測されて予め導出されている。
【００４０】
次に、上述した温水洗浄便座装置１の脱臭機能部５０の脱臭を行う脱臭動作について、図７に示すタイムチャートを用いて説明する。温水洗浄便座装置１が待機状態（使用者が着座していない状態）である場合、着座センサ６０からオフ信号が送信されている。また、この場合、制御装置７０は、脱臭剤生成部５１、加圧部５３（コイル部５３ｄ）および駆動部５５（モータ５５ｃ）をオフ（非通電）とする。また、この場合、蓄積部５２が回動範囲の下限に位置する。
【００４１】
温水洗浄便座装置１が待機状態である場合において、使用者が着座することにより着座センサ６０の検出信号がオフ信号からオン信号に切り替わった時、制御装置７０は、脱臭動作を開始する（時刻ｔ１）。制御装置７０は、具体的には、脱臭剤生成部５１をオフからオンに切り替える。これにより、電力供給部５１ｂによって各電極５１ａ２，５１ａ３に電圧がかけられるため、放電によってオゾンが発生する。
【００４２】
そして、脱臭動作が開始された時点（時刻ｔ１）から第一所定時間Ｔｍ１が経過した時点（時刻ｔ２）にて、制御装置７０は、加圧部５３を第二所定時間Ｔｍ２だけオンする。第一所定時間Ｔｍ１は、蓄積部５２内の脱臭剤の濃度が所定濃度以上となる時間である。第一所定時間Ｔｍ１および所定濃度は、予め実験等によって実測されて導出されている。よって、蓄積部５２内の脱臭剤の濃度が所定濃度以上である状態にて加圧部５３がオンされる。
【００４３】
そして、加圧部５３が第二所定時間Ｔｍ２だけ通電された時、ピストン５３ｂが原位置Ｐ０と移動位置Ｐｍとの間を一往復する。このとき、蓄積部５２内の脱臭剤を含む気体が加圧されて、渦輪状の脱臭気体Ａが開口部５４からに放出される（図４参照）。第二所定時間Ｔｍ２は、開口部５４から脱臭気体Ａが渦輪状に放出されるように比較的短い時間に設定されている。第二所定時間Ｔｍ２は、予め実験等によって実測されて導出されている。
【００４４】
そして、渦輪状の脱臭気体Ａは、連通口１０ｂ１を介して便鉢部２ｂ内の後端部に向けて放出される。渦輪状の脱臭気体Ａは、直進性が比較的高く、かつ、その渦輪の形状を保持したまま進行する。これにより、脱臭気体Ａにおける脱臭剤は、脱臭剤の濃度低下が抑制されて搬送される。
【００４５】
そして、渦輪状の脱臭気体Ａは、便鉢部２ｂの後端部の壁面に衝突した時、渦輪の形状が崩れて脱臭剤が衝突した位置の周囲に拡散する。これにより、脱臭剤による便鉢部２ｂ内の気体の脱臭が行われる。制御装置７０は、加圧部５３を第一所定時間Ｔｍ１毎に第二所定時間Ｔｍ２だけオンする。これにより、渦輪状の脱臭気体Ａが断続的に放出される。
【００４６】
また、渦輪状の脱臭気体Ａが断続的に放出される間、制御装置７０は、ピニオンギヤ５５ｂの第一方向Ｗ１への駆動と第二方向Ｗ２への駆動とを第三所定時間Ｔｍ３毎に繰り返す。第三所定時間Ｔｍ３は、蓄積部５２の回動範囲の下限から上限まで（上限から下限まで）移動する時間に設定されている。これにより、駆動部５５が蓄積部５２を回動範囲の上端と下端との間を往復させるように回動させるため、蓄積部５２から放出された脱臭気体Ａが便鉢部２ｂ内の後端部から前端部までの範囲に亘って放出される。
【００４７】
そして、使用者が便座２０を離れたことにより着座センサ６０の検出信号がオン信号からオフ信号に切り替わった時点（時刻ｔ３）から第四所定時間Ｔｍ４（例えば６０秒）経過した時点（時刻ｔ４）に、制御装置７０は、脱臭剤生成部５１、加圧部５３をオフにする。また、この時、制御装置７０は、駆動部５５を第二方向Ｗ２に第三所定時間Ｔｍ３だけ駆動させる。これにより、蓄積部５２が支持部５６の接触部５６ａに接触して、回動範囲の下限に位置する。そして、制御装置７０は、脱臭動作を終了し、温水洗浄便座装置１が待機状態に戻る。
【００４８】
本第一実施形態によれば、温水洗浄便座装置１は、人体の局部を洗浄する。温水洗浄便座装置１は、便鉢部２ｂを有する腰掛式便器２に取り付けられた本体部１０と、本体部１０に収納され、脱臭剤を含む気体を便鉢部２ｂ内に向けて渦輪状に放出する脱臭機能部５０と、を備えている。
【００４９】
これによれば、脱臭機能部５０が脱臭剤を含む気体を渦輪状に放出する。渦輪状の気体は、直進性が比較的高く、かつ、渦輪の形状を保持したまま進行する。よって、脱臭剤を含む渦輪状の気体（脱臭気体Ａ）を便鉢部２ｂ内のねらいの位置に比較的高い指向性にて到達させることができる。したがって、便鉢部２ｂ内の臭気の除去のばらつきを抑制することができる。
【００５０】
また、加圧部５３がソレノイドアクチュエータによって構成されているため、従来技術に用いられているファンに比べて、少ない電力かつ小さい騒音にて脱臭機能部５０を駆動させることができる。
【００５１】
さらに、従来技術の脱臭機能部５０のように、便鉢部２ｂ内の空気を流通させるダクトやファンを設けていないため、脱臭機能部５０の小型化を図ることができる。よって、温水洗浄便座装置１内の省スペース化やレイアウトの自由度の向上、および温水洗浄便座装置１の小型化を図ることができる。
【００５２】
また、脱臭機能部５０は、脱臭剤を生成する脱臭剤生成部５１と、脱臭剤生成部５１によって生成された脱臭剤が供給され、内側に気体を蓄積する蓄積部５２と、蓄積部５２内の気体を加圧する加圧部５３と、蓄積部５２の第一側壁５２ａに形成されるとともに、加圧部５３によって気体が加圧されたとき、気体を蓄積部５２から放出する開口部５４と、を備えている。
これによれば、脱臭機能部５０は、脱臭剤を含む気体を渦輪状に確実に放出することができる。
【００５３】
また、脱臭剤は、オゾンである。
これによれば、脱臭機能部５０は、便鉢部２ｂ内の臭気の除去とともに、便鉢部２ｂ内の殺菌を行うことができる。
【００５４】
＜第二実施形態＞
次に、本発明による温水洗浄便座装置１の第二実施形態について、主として上述した第一実施形態と異なる部分について説明する。本第二実施形態においては、上述した第一実施形態の脱臭機能部５０に代えて、図８および図９に示す脱臭機能部１５０を備えている。
【００５５】
脱臭機能部１５０には、水道配管３からの水が供給される。本第二実施形態においては、給水ホースＨに分岐部Ｈａが接続されている。分岐部Ｈａは、第五接続水路Ｌ５を介して給水装置４１に、および分水路Ｂを介して脱臭機能部１５０に水を導出する。また、分水路Ｂには、分水路電磁弁Ｂａが配置されている。分水路電磁弁Ｂａは、ノーマルクローズ型の電磁弁である。
【００５６】
本第二実施形態の脱臭機能部１５０は、上述した第一実施形態の脱臭機能部５０の脱臭剤生成部５１に代えて、脱臭剤生成部１５１を備えている。脱臭剤生成部１５１によって生成される脱臭剤は、殺菌性を有する金属イオンを含む霧状の液体である。金属イオンは、銀イオンである。液体は、水道配管３からの水である。脱臭剤生成部１５１は、銀イオン生成部１５１ｃおよび霧ノズル１５１ｄを備えている。
【００５７】
銀イオン生成部１５１ｃは、内側にて銀イオンの水溶液を生成するものである。銀イオン生成部１５１ｃは、水道配管３の水が分水路Ｂを介して内側に供給される。銀イオン生成部１５１ｃの内側には、複数の除菌ガラスの集合体Ｇが収容されている。除菌ガラスは、銀酸化物を含むリン酸系ガラスである。リン酸系ガラスは、水に対して溶解性を有する。リン酸系ガラスが水に溶解するとき、銀酸化物は、銀イオンを水中に溶出する。銀酸化物は、例えば酸化銀である。
【００５８】
水道配管３からの水が銀イオン生成部１５１ｃの内側に供給された場合、水と除菌ガラスの集合体Ｇとが接触する。これにより、除菌ガラスから銀イオンが水中に溶出して銀イオンの水溶液（以下、銀イオン水溶液とする。）が生成される。この銀イオン水溶液は、銀イオン生成部１５１ｃから霧ノズル１５１ｄに導出される。
【００５９】
霧ノズル１５１ｄは、銀イオン水溶液を霧化するものである。霧ノズル１５１ｄは、蓄積部５２の側壁に設けられ、銀イオン生成部１５１ｃからの銀イオン水溶液を蓄積部５２内に霧状に噴出するものである。
【００６０】
本第二実施形態において、脱臭動作が開始されて、脱臭剤生成部１５１がオンされた場合、分水路電磁弁Ｂａがオン（通電）される。これにより、銀イオン生成部１５１ｃにて銀イオン水溶液が生成されて、この銀イオン水溶液が霧ノズル１５１ｄによって脱臭剤として蓄積部５２内に霧状に噴出される。そして、加圧部５３がオンされた時に、霧状の銀イオン水溶液を含む気体が渦輪状に放出される。
【００６１】
本第二実施形態によれば、脱臭剤は、殺菌性を有する銀イオンを含む霧状の液体である。
これによれば、脱臭機能部１５０は、便鉢部２ｂ内の臭気の除去とともに、便鉢部２ｂ内の殺菌を行うことができる。また、脱臭剤が霧状の液体であるため、脱臭気体Ａを可視化ことができる。よって、脱臭気体Ａが便鉢部２ｂ内に行き渡っている状態を、使用者が目視することができる。またこのとき、この脱臭気体Ａを用いて、男子小用時の的とすることができる。
【００６２】
＜変形例＞
なお、上述した各実施形態において、温水洗浄便座装置の一例を示したが、本発明はこれに限定されず、他の構成を採用することもできる。例えば、上述した加圧部５３は、ソレノイドアクチュエータであるが、これに代えて、スピーカユニット（図示なし）にて構成するようにしても良い。この場合、スピーカユニットを構成する振動板（図示なし）が振動することにより、蓄積部５２内の気体が加圧されて開口部５４から渦輪状の気体が放出される。
【００６３】
また、上述した各実施形態において、駆動部５５は、蓄積部５２を上下方向に駆動しているが、これに代えて、左右方向に駆動するようにしても良い。さらに、駆動部５５を複数備えることにより、蓄積部５２を上下方向および左右方向に駆動させるようにしても良い。
【００６４】
また、上述した各実施形態において、蓄積部５２の回動範囲を腰掛式便器２の便鉢部２ｂの大きさに合わせて変更できるようにしても良い。この場合、第三所定時間Ｔｍ３の長さやピニオンギヤ５５ｂの回転速度を変更しても良い。
【００６５】
また、上述した第二実施形態において、脱臭剤は、銀イオンの水溶液である銀イオン水溶液であるが、これに代えて、銀、銅や亜鉛を電気分解して得られる金属イオンの水溶液や、脱臭剤を水道配管３からの水を電気分解することにより生成される次亜塩素酸の水溶液にしても良い。
【００６６】
また、上述した各実施形態において、温水洗浄便座装置１は、脱臭機能部５０，１５０を一つ備えているが、これに代えて、脱臭機能部５０，１５０を複数備えるようにしても良い。また、各実施形態における脱臭機能部５０，１５０と、ファンおよびダクトを用いる従来技術の脱臭機能部とを併用するようにしても良い。
【００６７】
また、上述した各実施形態において、蓄積部５２は上下方向に回動駆動しているが、これに代えて、蓄積部５２をねらいの位置にて固定するようにしても良い。例えば、脱臭動作が行われて蓄積部５２が回動駆動している場合に、スイッチ（図示なし）がオンされることにより蓄積部５２の回動を停止するようにしても良い。これにより、脱臭気体Ａの放出方向をねらいの方向に固定することができる。
【００６８】
また、上述した各実施形態において、脱臭気体Ａは、便鉢部２ｂ内に放出されているが、これに代えて、脱臭気体Ａを便鉢部２ｂ外のトイレルーム内に放出するようにしても良い。
【符号の説明】
【００６９】
１…温水洗浄便座装置、２…腰掛式便器、２ｂ…便鉢部、１０…本体部、４０…洗浄機能部、５０…脱臭機能部、５１…脱臭剤生成部、５２…蓄積部、５２ａ…第一側壁（側壁）、５３…加圧部、５４…開口部、５５…駆動部、７０…制御装置、Ａ…脱臭気体。
【図１】
0006801247.tif 000002
【図２】
0006801247.tif 000003
【図３】
0006801247.tif 000004
【図４】
0006801247.tif 000005
【図５】
0006801247.tif 000006
【図６】
0006801247.tif 000007
【図７】
0006801247.tif 000008
【図８】
0006801247.tif 000009
【図９】
0006801247.tif 000010